(57)【要約】【課題】試験のための労力を節減できるとともに入力ミスを減少できる入出力回路の試験装置を有するデジタル制御装置を得る。【解決手段】タッチパネル液晶ディスプレイ１１１の開始ボタンＢ１に触れて試験を開始し、点番号ボタン１，Ｃ２，Ｃ３，・・に触れて試験する入力点番号を指定する。すると、当該入力点番号の文字表示色が橙色になる。試験員が試験すべき入力点番号のデジタル入力端子を短絡して模擬のＯＮ信号を入力し、実際に当該入力点番号の端子にＯＮ信号が入力されたか否かを判定し、ＯＮ信号が入力されればＯＫ信号を発信し当該入力点番号の文字表示色を緑色にする。所定時間内にＯＮ信号が入力されなければ、不良の旨報知する。タッチパネル液晶ディスプレイ１１１上で入力点番号を指定するので、入力点番号のキー入力を要せず試験のための労力を節減できるとともに入力ミスを減少できる。【選択図】図５
2008059101.tif 000002
【特許請求の範囲】
【請求項１】
タッチパネル式表示装置を有する監視制御部と入出力回路部とが設けられ上記入出力回路部を介して上記監視制御部にプロセス信号を入出力するデジタル制御装置において、
上記入出力回路部を試験する試験装置を備え、
上記試験装置は、入出力点番号表示選択手段と入出力回路部健全性判定手段とを有し、
上記入出力点番号表示選択手段は、上記入出力回路部の入力点あるいは出力点の点番号を上記タッチパネル式表示装置の画面の所定の位置に表示するとともに上記所定の位置に触れることにより上記点番号を選択するものであり、
上記入出力回路部健全性判定手段は、上記入出力回路部の上記選択された点番号の入力点に所定の信号を入力して上記監視制御部に上記プロセス信号が正しく入力されるか否かあるいは上記監視制御部から所定のプロセス信号を上記入出力回路部の上記選択された点番号の出力点へ出力して上記入出力回路部の上記選択された点番号の出力点から上記プロセス信号が正しく出力されるか否かを判定するものであることを特徴とするデジタル制御装置。
【請求項２】
上記監視制御部は上記タッチパネル式表示装置に加え中央演算装置とメモリとを有するものであって、上記入出力点番号表示選択手段と入出力回路部健全性判定手段とは上記監視制御部に組み込んだプログラムと上記タッチパネル式表示装置とにより実現されているものであることを特徴とする請求項１に記載のデジタル制御装置。
【請求項３】
上記入出力回路部はデジタル入力回路部及びデジタル出力回路部を有するものであって、上記デジタル入力回路部と上記デジタル出力回路部とを接続し、上記入出力回路部健全性判定手段は上記デジタル入力回路部と上記デジタル出力回路部との間で相互に入出力される上記プロセス信号に基づき上記プロセス信号が上記入出力回路部の上記点番号の入力点あるいは出力点に正しく入出力されるか否かを判定するものであることを特徴とする請求項１又は請求項２に記載のデジタル制御装置。
【請求項４】
上記入出力回路部はアナログ入力回路部及びアナログ出力回路部を有するものであって、上記アナログ入力回路部と上記アナログ出力回路部とを接続し、上記入出力回路部健全性判定手段は上記アナログ入力回路部と上記アナログ出力回路部との間で相互に入出力される上記プロセス信号に基づき上記プロセス信号が上記入出力回路部の上記点番号の入力点あるいは出力点に正しく入出力されるか否かを判定するものであることを特徴とする請求項１又は請求項２に記載のデジタル制御装置。
【請求項５】
上記アナログ出力回路部は出力されるアナログ信号のレベルが調整しうるようにされたものであり、上記入出力回路部健全性判定手段は上記アナログ入力回路部と上記アナログ出力回路部との間で相互に入出力される上記プロセス信号に基づき上記プロセス信号が上記入出力回路部の上記点番号の入力点あるいは出力点に正しく入出力されるか否かを判定するとともに併せて上記プロセス信号のレベルも正しいか否かを判定するものであることを特徴とする請求項４に記載のデジタル制御装置。
【発明の詳細な説明】
【技術分野】
【０００１】
この発明は、入出力回路部の試験装置を有するデジタル制御装置に関するものである。
【背景技術】
【０００２】
近年、デジタル制御装置は、ハードウェア技術の進歩に伴い、各ＰＩＯ（Ｐｒｏｃｅｓｓ  Ｉｎｐｕｔ  Ｏｕｔｐｕｔ）の構造が縮小化され取り扱いが困難となってきている。これらＰＩＯ例えばデジタル入力回路部の試験に当たっては、パソコン等による試験用操作装置をデジタル制御装置に接続して試験すべき入力点番号と制御するための制御用コマンドをキー入力し、試験員がデジタル入力回路部の当該入力点番号のデジタル入力端子間をジャンパー線にて短絡して入力模擬信号を入力し、デジタル制御装置において当該入力点番号のデジタル入力端子間に信号が入力されたことを確認していた。この作業を、全ての入力点について行う。デジタル出力回路部についても同様である。
【０００３】
また、アナログ入力回路部については、同様に試験用操作装置をデジタル制御装置に接続して試験すべき入力点番号と制御用コマンドを入力し、試験員がアナログ出力装置をアナログ入力回路部の当該入力点番号のアナログ入力端子に接続して所定のレベルのアナログ入力信号を入力し、デジタル制御装置において当該入力点番号のアナログ入力端子に入力されるアナログ入力が所定値であるか否かを判定していた。アナログ出力回路部についても同様である。
【０００４】
また、ＣＰＵを有するコンピュータ回路を搭載した制御装置にＩ／Ｏ模擬ユニットを介してパソコンを接続し、試験を行う際にパソコンから処理用データ及びアドレスデータを含む入出力ソフトウェア試験に係わるコマンドデータを入力するものがある（例えば、特許文献１参照）。
【０００５】
【特許文献１】特開平１０−１５４１０７号公報（段落番号００２４、００３１及び図２）
【発明の開示】
【発明が解決しようとする課題】
【０００６】
従来のデジタル制御装置は以上のように構成され、試験員がデジタル入力回路部の所定の入力点番号のデジタル入力端子間をジャンパー線で短絡し、もう一人の試験員が試験用操作装置から入力点番号と制御のための制御用コマンドを入力して動作確認をしている。アナログ入力回路部では、試験員が直流電圧発生器の電圧を所定値に調整してアナログ入力端子に入力し、もう一人の試験員がデジタル入力確認時と同様に試験用操作装置から入力点番号と制御用コマンドを入力して、当該入力点番号のアナログ入力端子への入力値が正しいか否かを確認をしている。これらの入出力回路部の試験で、毎回何百点、何千点の入出力点についてその健全性を確認する必要がある。製品としてのデジタル制御装置においては、このような確認試験をルーチン試験として実施しており、試験用操作装置に入力点番号や出力点番号を入力するのに多大な労力を要していた。また、入出力の点番号の入力ミスが発生するおそれがあった。また、ＣＰＵを有するコンピュータ回路の試験についても同様に入力点番号や出力点番号を入力するのに多大な労力を要し、また入出力の点番号の入力ミスが発生するおそれがあった。
【０００７】
この発明は、上記のような課題を解決するためになされたものであり、試験のための労力を節減できるとともに入力ミスを減少できる入出力回路部の試験装置を有するデジタル制御装置を得ることを目的とする。
【課題を解決するための手段】
【０００８】
この発明に係るデジタル制御装置においては、タッチパネル式表示装置を有する監視制御部と入出力回路部とが設けられ上記入出力回路部を介して上記監視制御部にプロセス信号を入出力するデジタル制御装置において、
上記入出力回路部を試験する試験装置を備え、
上記試験装置は、入出力点番号表示選択手段と入出力回路部健全性判定手段とを有し、
上記入出力点番号表示選択手段は、上記入出力回路部の入力点あるいは出力点の点番号を上記タッチパネル式表示装置の画面の所定の位置に表示するとともに上記所定の位置に触れることにより上記点番号を選択するものであり、
上記入出力回路部健全性判定手段は、上記入出力回路部の上記選択された点番号の入力点に所定の信号を入力して上記監視制御部に上記プロセス信号が正しく入力されるか否かあるいは上記監視制御部から所定のプロセス信号を上記入出力回路部の上記選択された点番号の出力点へ出力して上記入出力回路部の上記選択された点番号の出力点から上記プロセス信号が正しく出力されるか否かを判定するものである。
【発明の効果】
【０００９】
この発明は、タッチパネル式表示装置を有する監視制御部と入出力回路部とが設けられ上記入出力回路部を介して上記監視制御部にプロセス信号を入出力するデジタル制御装置において、
上記入出力回路部を試験する試験装置を備え、
上記試験装置は、入出力点番号表示選択手段と入出力回路部健全性判定手段とを有し、
上記入出力点番号表示選択手段は、上記入出力回路部の入力点あるいは出力点の点番号を上記タッチパネル式表示装置の画面の所定の位置に表示するとともに上記所定の位置に触れることにより上記点番号を選択するものであり、
上記入出力回路部健全性判定手段は、上記入出力回路部の上記選択された点番号の入力点に所定の信号を入力して上記監視制御部に上記プロセス信号が正しく入力されるか否かあるいは上記監視制御部から所定のプロセス信号を上記入出力回路部の上記選択された点番号の出力点へ出力して上記入出力回路部の上記選択された点番号の出力点から上記プロセス信号が正しく出力されるか否かを判定するものであるので、
タッチパネル式表示装置で入力点番号を表示及び指定するので、入力点番号のキー入力を要せず、所定の入力点番号のデジタル入力端子についてその健全性を確認することができ、試験の労力の大幅な節減と入力点番号の入力ミスを防止することができる。
【発明を実施するための最良の形態】
【００１０】
実施の形態１．
図１〜図５は、この発明を実施するための実施の形態１を示すものであり、図１は試験装置の構成を示す構成図、図２は試験装置が組み込まれたデジタル制御装置を示す構成図である。図３は動作を示すフローチャート、図４は試験モードの選択画面を示す説明図、図５は表示画面を示す説明図である。図２において、製品であるデジタル制御装置は、監視制御盤１００と入出力回路部としての入出回路盤２００にて構成されている。監視制御盤１００は、図示しない中央演算装置とメモリとタッチパネル式表示装置としてのタッチパネル液晶ディスプレイ１１１とを有する監視制御部１１０と、インターフェース部１２０を備えている。また、入出回路盤２００は、デジタル入力端子２１１、デジタル出力端子２１２、アナログ入力端子２１３、アナログ出力端子２１４を有する。監視制御盤１００へは、デジタル入力端子２１１、デジタル出力端子２１２、アナログ入力端子２１３、アナログ出力端子２１４を介してデジタル及びアナログのプロセスデータが入出力される。なお、デジタル制御装置は、通常はプラント等の監視制御を行う。
【００１１】
図１において、試験装置３００は、開始ボタン１とデジタル入力試験装置３と報知手段８を有し、開始ボタン１がデジタル入力試験装置３に接続され、報知手段８がデジタル入力試験装置３に接続されている。デジタル入力試験装置３は、入力点表示手段３１、入力点選択手段３２、入出力回路部健全性判定手段としての入力点判定手段３３、タイマ３４、判定結果表示手段３８を有する。このような試験装置３００は、中央演算装置とメモリとを有する上記監視制御部に試験用のソフトウェアを組み込んでタッチパネル液晶ディスプレイと組み合わせることにより実現されている。
【００１２】
次に動作について説明する。まず、試験開始に先立ち、監視制御部１１０において図示しない操作選択手段により、タッチパネル液晶ディスプレイ１１１に図４に示す試験メニューの選択画面を表示する。試験員は、当該画面の所定の場所にタッチすることにより、試験メニューから一つを選択する。この実施の形態は、試験メニューからデジタル入力確認試験が選択された場合である。試験メニューからデジタル入力確認試験が選択されると、タッチパネル液晶ディスプレイ１１１の画面が図４に示す画面に切り替わる。画面には、上部の表示窓W１にデジタル入力確認試験の文字が表示される。表示窓W１の下方に開始ボタンＢ１（図１の開始ボタン１に相当する）、終了ボタンＢ２、リセットボタンＢ３が表示される。また、入力点表示手段３１及び入力点選択手段３２としての点番号ボタン１，２，３・・・及び次ボタンＤ１、戻りボタンＤ２が表示される。
【００１３】
以降、試験装置３００の動作を図３のフローチャートにより説明する。図５の開始ボタンＢ１に触れることにより試験を開始する（ステップＳ１１）。入力点番号が黒色文字で表示された点番号ボタン１，Ｃ２，Ｃ３，・・に触れることにより、入力点番号例えばＤＩ＿０００１を指定する（ステップＳ１２）。入力点判定手段３３（図１）が当該入力点番号を記憶し当該入力点番号の文字表示色を橙色に変更する（ステップＳ１３）。同時に、タイマ３４を起動する（ステップＳ１４）。これに合わせて、試験員が図２におけるデジタル入力端子２１１の該当入力点番号のデジタル入力端子を入力模擬装置７１０のリード線７１１により抵抗７１２を介して短絡し、模擬のＯＮ信号を当該端子に入力する。そして、入力点判定手段３３は、当該入力点番号の端子にプロセス信号及びデジタル信号であるＯＮ信号が入力されたか否かを判定する（ステップＳ１５）。ＯＮ信号が入力されればその健全性が確認できたとして判定結果表示手段３８はＯＫ信号を発信し（ステップＳ１６）、図５の当該入力点番号の文字表示色を緑色に変更する。
【００１４】
ステップＳ１５において、ＯＮ信号が入力されなければ、タイマ３４にて設定された時間を超過していないか否かを判定し（ステップＳ１７）、時間が超過していなければステップＳ１５へ戻り、ＯＮ信号が入力されたか否かを判定する。ステップＳ１７において、所定の時間を超過していれば、判定結果表示手段３８はＮＧ信号を報知手段８へ出力し（ステップＳ１８）、併せて図５の当該入力点番号の文字表示色を赤色に変更する。報知手段８は、ブザーを鳴らして不良の旨報知する。この作業を、全ての入力点番号のデジタル入力端子について実施する。入力点番号が多くて１ページに表示できない場合は、次ボタンＤ１により次ページの入力点番号を表示する。また、必要に応じて、戻りボタンＤ２、リセットボタンＢ３を使用する。全てのデジタル入力端子についてその健全性の確認試験が終了すれば、終了ボタンＢ２に触れて試験を終了する。
【００１５】
なお、上記実施の形態ではデジタル入力端子をリード線７１１により抵抗７１２を介して短絡し、模擬のＯＮ信号を与えるものを示したが、監視制御部１１０からデジタル出力端子２１２へ模擬のＯＮ信号を発信するようにして、当該模擬のＯＮ信号を試験すべきデジタル入力端子２１１に与えるようにしてもよい。
【００１６】
以上のように、この実施の形態によれば、タッチパネル液晶ディスプレイで入力点番号を表示及び指定するので、入力点番号のキー入力を要せず、所定の入力点番号のデジタル入力端子についてその健全性を確認することができ、試験の労力の大幅な節減と入力点番号の入力ミスを防止することができる。
【００１７】
実施の形態２．
図６〜図９はこの発明の実施の形態２を示すものであり、図６は試験装置の構成を示す構成図、図７は試験装置が組み込まれたデジタル制御装置を示す構成図である。図８は動作を示すフローチャート、図９は表示画面を示す説明図である。図６において、試験装置４００は、デジタル出力試験装置４を有する。デジタル出力試験装置４は、出力点表示手段４１、出力点選択手段４２、出力点判定手段４３を有する。試験装置４００は、図７に示すようにデジタル制御装置に組み込まれている。その他の構成については、図１に示した実施の形態１と同様のものであるので、相当するものに同じ符号を付して説明を省略する。
【００１８】
次に動作について説明する。まず、試験開始に先立ち、監視制御部１１０において図示しない操作選択手段により、タッチパネル液晶ディスプレイ１１１に図４に示す試験メニューの選択画面を表示する。試験員は、当該画面の所定の場所にタッチすることにより、試験メニューから一つを選択する。この実施の形態は、試験メニューからデジタル出力確認試験が選択された場合である。試験メニューからデジタル出力確認試験が選択されると、タッチパネル液晶ディスプレイ１１１の画面が図８に示す画面に切り替わる。画面には、上部の表示窓W１にデジタル出力確認試験の文字が表示される。表示窓W１の下方に開始ボタンＢ１、終了ボタンＢ２、リセットボタンＢ３が表示される。また、出力点表示手段４１及び出力点選択手段４２としての点番号ボタン１，２，３・・・及び次ボタンＤ１、戻りボタンＤ２が表示される。
【００１９】
以降、試験装置４００の動作を図８のフローチャートにより説明する。図９の開始ボタンＢ１に触れることにより試験を開始する（ステップＳ２１）。出力点番号が黒色文字で表示された点番号ボタン１，Ｃ２，Ｃ３，・・に触れることにより、当該出力点番号例えばＤＯ＿０００１を指定する（ステップＳ２２）。出力点判定手段４３（図６）が当該出力点番号を記憶し当該出力点番号の文字表示色を橙色に変更する（ステップＳ２３）。同時に、タイマ３４を起動する（ステップＳ２４）。
【００２０】
これに合わせて、試験員が図７におけるデジタル出力端子２１２の該当出力点番号のデジタル出力端子とデジタル入力端子２１１の図８における例えば一番上のデジタル入力端子ＤＴ１とを接続リード７２０により接続し、該当出力点番号のデジタル出力端子から出力されたＯＮ信号を入力する。出力点判定手段４３は、当該出力点番号のデジタル出力端子からデジタル信号であるＯＮ信号が出力されたか否かを、デジタル入力端子２１１の図８における一番上のデジタル入力端子ＤＴ１にＯＮ信号が入力されたか否かにより判定する（ステップＳ２５）。デジタル入力端子ＤＴ１にＯＮ信号が入力されればその健全性が確認できたとして判定結果表示手段３８はＯＫ信号を発信し（ステップＳ２６）、図８の当該入力点番号の文字表示色を緑色に変更する。
【００２１】
ステップＳ２５において、ＯＮ信号が出力されなければ、タイマ３４にて設定された時間を超過していないか否かを判定し（ステップＳ２７）、時間が超過していなければステップＳ２５へ戻り、ＯＮ信号が出力されるか否かを判定する。ステップＳ２７において、所定の時間を超過していれば、判定結果表示手段３８はＮＧ信号を報知手段８へ出力し（ステップＳ２８）、併せて当該出力点番号を赤色文字の表示に変更する。報知手段８は、ブザーを鳴らして不良の旨報知する。この作業を、全ての出力点番号のデジタル出力端子について実施する。出力点番号が多くて１ページに表示できない場合は、次ボタンＤ１により次ページの出力点番号を表示する。また、必要に応じて、戻りボタンＤ２、リセットボタンＢ３を使用する。全てのデジタル出力端子についてその健全性の確認試験が終了すれば、終了ボタンＢ２に触れて試験を終了する。
【００２２】
なお、上記実施の形態ではデジタル出力端子２１２から出力されるＯＮ信号をデジタル入力端子２１１を介して監視制御部１１０（図４のデジタル出力試験装置４を兼ねている）へ入力し、デジタル出力端子２１２から正しくプロセス信号が出力されるか否かを判定するものを示したが、試験すべきデジタル出力端子２１２に直接テスタなどの抵抗測定装置を接続してその抵抗の変化から判定したり、電池とＬＥＤライトとを直列に接続したチェック装置を接続してＬＥＤライトの点灯の有無で判定するようにしてもよい。
【００２３】
以上のように、この実施の形態によれば、タッチパネル液晶ディスプレイで入力点番号を表示及び指定するので、入力点番号のキー入力を要せず、所定の出力点番号のデジタル出力端子についてその健全性を確認することができ、試験の労力の大幅な節減と出力点番号の入力ミスを防止することができる。
【００２４】
実施の形態３．
図１０〜図１４はこの発明の実施の形態３を示すものであり、図１０は試験装置の構成を示す構成図、図１１は試験装置が組み込まれたデジタル制御装置を示す構成図である。図１２は動作を示すフローチャート、図１３、図１４は表示画面を示す説明図である。図１０において、試験装置５００は、アナログ入力試験装置５を有する。アナログ入力試験装置５は、入力レベル選択手段５１、入力点判定手段５２、入力レベル判定手段５３を有する。試験装置５００は、図１１に示すようにデジタル制御装置に組み込まれている。その他の構成については、図１に示した実施の形態１と同様のものであるので、相当するものに同じ符号を付して説明を省略する。
【００２５】
次に動作について説明する。まず、試験開始に先立ち、監視制御部１１０において図示しない操作選択手段により、タッチパネル液晶ディスプレイ１１１に図４に示す試験メニューの選択画面を表示する。試験員は、当該画面の所定の場所にタッチすることにより、試験メニューから一つを選択する。この実施の形態は、試験メニューからアナログ入力確認試験が選択された場合である。試験メニューからアナログ入力確認試験が選択されると、タッチパネル液晶ディスプレイ１１１の画面が図１３に示す画面に切り替わる。画面には、上部の表示窓W１にアナログ入力確認試験の文字が表示される。表示窓W１の下方に開始ボタンＢ１、終了ボタンＢ２、リセットボタンＢ３が表示される。また、入力点表示手段３１及び入力点選択手段３２としての点番号ボタン１，２，３・・・及び次ボタンＤ１、戻りボタンＤ２が表示される。
【００２６】
以降、試験装置５００の動作を図１２のフローチャートにより説明する。図１３の開始ボタンＢ１に触れることにより試験を開始する（ステップＳ３１）。入力点番号が黒色文字で表示された点番号ボタン１，Ｃ２，Ｃ３，・・に触れることにより、入力点番号例えばＡＩ＿０００１を指定すると、入力点判定手段５２（図１０）が当該入力点番号を記憶し当該入力点番号の文字表示色を橙色に変更する（ステップＳ３２）。すると、図１４の画面に切り替わり、入力レベル選択手段５１としての選択ボタンＦ１〜Ｆ５が表示される。選択ボタンＦ１〜Ｆ５のいずれかに触れることにより、入力レベルを指定し、入力レベル判定手段５３が指定されたレベルを記憶する（ステップＳ３３）。同時に、タイマ３４を起動する（ステップＳ３４）。また、入力レベル判定手段５３は、監視制御部１００及びアナログ出力端子２１４のうちの図１１における例えば一番上にあるアナログ出力端子ＡＴ２を利用して指定されたレベルのプロセス信号としてのアナログ信号を出力する。
【００２７】
これに合わせて、試験員が接続リード７２０により一番上にあるアナログ出力端子ＡＴ２と該当入力点番号のアナログ入力端子２１３とを接続し、該当入力点番号のアナログ入力端子２１３にアナログ出力端子ＡＴ２から出力されるアナログ信号を印加する。そして、入力点判定手段５２は、当該入力点番号のアナログ入力端子２１３にアナログ信号が入力されたか否かを判定し（ステップＳ３５）、入力レベル判定手段５３は当該アナログ信号のレベルが所定値であるか否かを判定する（ステップＳ３６）。なお、アナログ信号のレベルが所定値であるか否かは、アナログ信号のレベルが所定の範囲内にあるか否かで判定している。併せて、図１４の表示窓Ｇ１に現在の入力されたアナログ信号のレベルを表示する。ステップＳ３６において、所定値であればその健全性が確認できたとして判定結果表示手段３８はＯＫ信号を発信し（ステップＳ３７）、図１４の表示窓Ｈ１にＯＫを表示し、終了ボタンＫ１に触れることにより図１３の画面表示に切り替え当該入力点番号の文字表示色を緑色に変更する。
【００２８】
ステップＳ３５において、アナログ信号が入力されなければ、入力点判定手段５２はタイマ３４にて設定された時間を超過していないか否かを判定し（ステップＳ３８）、時間が超過していなければステップＳ３５へ戻り、アナログ信号が入力されたか否かを判定する。ステップＳ３８において、所定の時間を超過していれば、判定結果表示手段３８はＮＧ信号を報知手段８へ出力し（ステップＳ３９）、図１４の表示窓Ｈ１にＮＧを表示し、終了ボタンＫ１に触れることにより図１３の画面表示に切り替え当該入力点番号の文字表示色を赤色に変更する。また、報知手段８はブザーを鳴らして不良の旨報知する。この作業を、全ての入力点番号のアナログ入力端子について実施する。入力点番号が多くて１ぺージに表示できない場合は、次ボタンＤ１により次ページの入力点番号を表示する。また、必要に応じて、戻りボタンＤ２、リセットボタンＢ３を使用する。全てのアナログ入力端子についてその健全性の確認試験が終了すれば、終了ボタンＢ２に触れて試験を終了する。
【００２９】
なお、この実施の形態では、模擬のアナログ入力信号を生成するのにデジタル制御装置の有するアナログ出力端子２１４を用いたが、別途所定のレベルの直流出力を出力できるアナログ信号発生器を使用してもよい。
【００３０】
以上のように、この実施の形態によれば、タッチパネル液晶ディスプレイで入力点番号を表示及び指定するので、入力点番号のキー入力を要せず、所定の入力点番号のアナログ入力端子についてその健全性を確認することができ、試験の労力の大幅な節減と入力点番号の入力ミスを防止することができる。
【００３１】
実施の形態４．
図１５〜図１９はこの発明の実施の形態３を示すものであり、図１５は試験装置の構成を示す構成図、図１６は試験装置が組み込まれたデジタル制御装置を示す構成図である。図１７は動作を示すフローチャート、図１８、図１９は表示画面を示す説明図である。図１５において、試験装置６００は、アナログ出力試験装置６を有する。アナログ出力試験装置６は、出力レベル選択手段６１、出力点判定手段６２、出力レベル判定手段６３を有する。試験装置６００は、図１１に示すようにデジタル制御装置に組み込まれている。その他の構成については、図６に示した実施の形態１と同様のものであるので、相当するものに同じ符号を付して説明を省略する。
【００３２】
次に動作について説明する。まず、試験開始に先立ち、監視制御部１１０において図示しない操作選択手段により、タッチパネル液晶ディスプレイ１１１に図４に示す試験メニューの選択画面を表示する。試験員は、当該画面の所定の場所にタッチすることにより、試験メニューから一つを選択する。この実施の形態は、試験メニューからアナログ出力確認試験が選択された場合である。試験メニューからアナログ出力確認試験が選択されると、タッチパネル液晶ディスプレイ１１１の画面が図１７に示す画面に切り替わる。画面には、上部の表示窓W１にアナログ出力確認試験の文字が表示される。表示窓W１の下方に開始ボタンＢ１、終了ボタンＢ２、リセットボタンＢ３が表示される。また、入力点表示手段３１及び入力点選択手段３２としての点番号ボタン１，２，３・・・及び次ボタンＤ１、戻りボタンＤ２が表示される。
【００３３】
以降、試験装置６００の動作を図１７のフローチャートにより説明する。図１８の開始ボタンＢ１に触れることにより試験を開始する（ステップＳ４１）。入力点番号が黒色文字で表示された点番号ボタン１，Ｃ２，Ｃ３，・・に触れることにより、入力点番号例えばＡＯ＿０００１を指定すると、出力点判定手段６２（図１５）が当該入力点番号を記憶し当該入力点番号の文字表示色を橙色に変更する（ステップＳ４２）。すると、図１９の画面に切り替わり、出力レベル選択手段６１としての選択ボタンＦ１〜Ｆ５が表示される。選択ボタンＦ１〜Ｆ５のいずれかに触れることにより、入力レベルを指定し、出力点判定手段６２が指定されたレベルを記憶する（ステップＳ４３）。同時に、タイマ３４を起動する（ステップＳ４４）。
【００３４】
これに合わせて、試験員が接続リード７２０により該当入力点番号のアナログ出力端子２１４とアナログ入力端子２１３のうちの図１６における例えば一番上のアナログ入力端子ＡＴ１とを接続し、該当入力点番号のアナログ出力端子２１４から出力されるアナログ信号をアナログ入力端子ＡＴ１に印加する。この実施の形態では、アナログ出力端子２１４から出力されるアナログ信号の測定にアナログ入力端子２１３へ当該アナログ信号を入力することにより行っている。すなわち、出力点判定手段６２は、当該入力点番号のアナログ出力端子２１４からアナログ出力端子ＡＴ１へアナログ信号が出力されたか否かを判定し（ステップＳ４５）、出力点判定手段６２は当該アナログ信号のレベルが所定値であるか否かを判定する（ステップＳ４６）。併せて、図１９の表示窓Ｇ１に現在の出力されたアナログ信号のレベルを表示する。ステップＳ４６において、所定値であればその健全性が確認できたとして判定結果表示手段３８はＯＫ信号を発信し（ステップＳ４７）、図８の当該入力点番号の文字表示色を緑色に変更する。
【００３５】
ステップＳ４５において、アナログ信号が入力されなければ、出力点判定手段６２はタイマ３４にて設定された時間を超過していないか否かを判定し（ステップＳ４８）、時間が超過していなければステップＳ４５へ戻り、アナログ信号が入力されたか否かを判定する。ステップＳ４８において、所定の時間を超過していれば、出力点判定手段６２はＮＧ信号を報知手段８へ出力し、不良の旨報知する（ステップＳ４９）。併せて、当該入力点番号を赤色文字の表示に変更する。この作業を、全ての入力点番号のアナログ出力端子について実施する。入力点番号が多くて１ページに表示できない場合は、次ボタンＤ１により次ページの入力点番号を表示する。また、必要に応じて、戻りボタンＤ２、リセットボタンＢ３を使用する。全てのアナログ出力端子についてその健全性の確認試験が終了すれば、終了ボタンＢ２に触れて試験を終了する。
【００３６】
なお、この実施の形態では、出力されるアナログ信号を測定するデジタル制御装置のアナログ入力端子２１３を用いたが、アナログ信号のレベルを測定する電圧測定器を使用してもよい。また、タッチパネル液晶ディスプレイの代わりに、タッチパネルＣＲＴその他の同様の機能を有するものを用いても良い。
【００３７】
以上のように、この実施の形態によれば、タッチパネル液晶ディスプレイ等のタッチパネル式表示装置で入力点番号を表示及び指定するので、入力点番号のキー入力を要せず、所定の入力点番号のアナログ出力端子についてその健全性を確認することができ、試験の労力の大幅な節減と入力点番号の入力ミスを防止することができる。
【図面の簡単な説明】
【００３８】
【図１】この発明の実施の形態１である試験装置の構成を示す構成図である。
【図２】図１の試験装置が組み込まれたデジタル制御装置を示す構成図である。
【図３】図１の試験装置の動作を示すフローチャートである。
【図４】試験モードの選択画面を示す説明図である。
【図５】表示画面を示す説明図である。
【図６】この発明の実施の形態２である試験装置の構成を示す構成図である。
【図７】図６の試験装置が組み込まれたデジタル制御装置を示す構成図である。
【図８】図６の試験装置の動作を示すフローチャートである。
【図９】表示画面を示す説明図である。
【図１０】この発明の実施の形態３である試験装置の構成を示す構成図である。
【図１１】図１０の試験装置が組み込まれたデジタル制御装置を示す構成図である。
【図１２】図１０の試験装置の動作を示すフローチャートである。
【図１３】表示画面を示す説明図である。
【図１４】表示画面を示す説明図である。
【図１５】この発明の実施の形態４である試験装置の構成を示す構成図である。
【図１６】図１５の試験装置が組み込まれたデジタル制御装置を示す構成図である。
【図１７】図１５の試験装置の動作を示すフローチャートである。
【図１８】表示画面を示す説明図である。
【図１９】表示画面を示す説明図である。
【符号の説明】
【００３９】
１  開始ボタン、３  デジタル入力試験装置、４  デジタル出力試験装置、
５  アナログ入力試験装置、６  アナログ出力試験装置、８  報知手段、
３１  入力点表示手段、３２  入力点選択手段、３３  入力点判定手段、３４  タイマ、
３８  判定結果表示手段、４１  出力点表示手段、４２  出力点選択手段、
４３  出力点判定手段、５１  入力レベル選択手段、５２  入力点判定手段、
５３  入力レベル判定手段、６１  出力レベル選択手段、６２  出力点判定手段、
６３  出力レベル判定手段、１００  監視制御盤、１１０  監視制御部、
１１１  タッチパネル液晶ディスプレイ、２００  入出回路盤、
２１１  デジタル入力端子、２１２  デジタル出力端子、２１３  アナログ入力端子、
２１４  アナログ出力端子、３００  デジタル入力試験装置、
４００  デジタル出力試験装置、５００  デジタル入力試験装置、
６００  アナログ出力試験装置、７１０  入力模擬装置、７２０  接続リード。
【図１】
2008059101.tif 000003
【図２】
2008059101.tif 000004
【図３】
2008059101.tif 000005
【図４】
2008059101.tif 000006
【図５】
2008059101.tif 000007
【図６】
2008059101.tif 000008
【図７】
2008059101.tif 000009
【図８】
2008059101.tif 000010
【図９】
2008059101.tif 000011
【図１０】
2008059101.tif 000012
【図１１】
2008059101.tif 000013
【図１２】
2008059101.tif 000014
【図１３】
2008059101.tif 000015
【図１４】
2008059101.tif 000016
【図１５】
2008059101.tif 000017
【図１６】
2008059101.tif 000018
【図１７】
2008059101.tif 000019
【図１８】
2008059101.tif 000020
【図１９】
2008059101.tif 000021